(57)【要約】【課題】一般的なハンドバックでは化粧品や筆記用具等、他の各種物品をも収納するため、非常に嵩張って重く、しかも内部の仕切が少ないため、各種携帯必需品毎に区分けして収納できず、必要とする携帯必需品をいろいろな物を雑多に収納しているバッグの中から探して取り出すのは容易ではない。【解決手段】布皮、人工皮革、合成樹脂ネット、軟質透明合成樹脂シート等の柔軟で軽量かつ比較的丈夫な素材で成形され、方形の表皮の内面にはこれを平らに拡げた状態において、中央の折り曲げ部分の前後に紙幣、健康保険証、預金通帳など比較的幅広の携帯必需品を収納可能な大ポケット、および診察券や各種カードあるいは切符など比較的幅狭な携帯必需品を収納可能な小ポケットがそれぞれ複数設置されている多種収納ポシェット。【選択図】　　　　図１
2004073780.tif 000002
【特許請求の範囲】
【請求項１】
布、人工皮革、合成樹脂ネット等の柔軟で軽量かつ比較的丈夫な素材で成形され、方形の表皮の内面にはこれを平らに拡げた状態において、中央の折り曲げ部分の前後に紙幣、健康保険証、預金通帳など比較的幅広の携帯必需品を収納可能な大ポケット、および診察券や各種カードあるいは切符など比較的幅狭な携帯必需品を収納可能な小ポケットがそれぞれ複数設置されていることを特徴とする多種収納ポシェット。
【請求項２】
中央の折り曲げ部分に紐通し穴を設けてこれに肩掛けまたは手提げ用の紐を通し、前記紐の端部に結び目を作って前記紐通し穴に係止させてなることを特徴とする請求項１記載の多種収納ポシェット。
【請求項３】
表皮には病院、薬局、銀行等の名称、住所、電話番号などの連絡先表示部を設けてなることを特徴とする請求項１又は請求項２記載の多種収納ポシェット。
【請求項４】
表皮の内面の前後端部に互いに接着し合う面ファスナーを取付けてなることを特徴とする請求項１又は請求項２記載の多種収納ポシェット。
【発明の詳細な説明】
【発明が属する技術分野】
この発明は、主として老人が健康保険証、老人保険証、診察券、銀行通帳、金銭、各種カード等の紙片状の携帯必需品を多種類収納して携帯するに便利な多種収納ポシェットに関するものである。
【従来の技術】
一般に、主として老人においては、健康保険証、老人保険証、診察券、銀行通帳、金銭、各種カード等の紙片状の携帯必需品を多種類まとめて持って病院等に出かけることが少なくない。
従来、このような多種の携帯必需品を入れるものとして、一般的な手提げまたは肩掛けハンドバッグあるいはセカンドバッグなどが用いられている。
【発明が解決しようとする課題】
しかしながら、このような各種の携帯必需品を持ち歩く際に、一般的なハンドバックやセカンドバッグ等では化粧品や筆記用具等、他の各種物品をも収納するため、非常に嵩張って重く、しかも内部の仕切が少ないため、各種携帯必需品毎に区分けして収納できず、必要とする携帯必需品をいろいろな物を雑多に収納しているバッグの中から探して取り出すのは容易ではなく、特に動作が鈍く、目も衰えている老人には不便である。
【課題を解決するための手段】
この発明は、方形の表皮の内面にこれを平らに拡げた状態において、中央の折り曲げ部分の前後に紙幣、健康保険証、預金通帳など比較的幅広の携帯必需品を収納可能な大ポケット、および診察券や各種カードあるいは切符など比較的幅狭な携帯必需品を収納可能な小ポケットをそれぞれ複数設置することにより、表皮を拡げた状態において各種の携帯必需品を区分けしてまとめて収納でき、また容易に取り出せるようにしたことを最も主要な特徴とする。
【発明の実施の形態】
布皮、人工皮革、合成樹脂ネット、軟質透明合成樹脂シー等の柔軟で軽量かつ比較的丈夫な素材で成形され、方形の表皮の内面にはこれを平らに拡げた状態において、中央の折り曲げ部分の前後に紙幣、健康保険証、預金通帳など比較的幅広の携帯必需品を収納可能な大ポケット、および診察券や各種カードあるいは切符など比較的幅狭な携帯必需品を収納可能な小ポケットがそれぞれ複数設置されている。
【実施例】
この発明の多種収納ポシェット１は、布皮、人工皮革、合成樹脂ネット、軟質透明合成樹脂シート等の柔軟で軽量かつ比較的丈夫な素材で成形され、方形の表皮２の内面にはこれを平らに拡げた状態において、中央の折り曲げ部分２’の前後に紙幣、健康保険証、預金通帳など比較的幅広の携帯必需品を収納可能な大ポケット３、および診察券や各種カードあるいは切符など比較的幅狭な携帯必需品を収納可能な小ポケット４がそれぞれ複数設置されている。
複数の大ポケット３の内少なくとも一つには図２及び図３に示すように、財布として紙幣や硬貨などを入れて密閉できるように開口部に開閉可能なスライドファスナー５を取付けてもよい（図１はポケット３，４の全ての開口がスライドファスナー無しで開放されている例を示した）。
また、大ポケット３および小ポケット４は図１〜図３に示すように、それらの開口部を中央の折り曲げ部分２’側に開口するように形成することにより、表皮２を中央の折り曲げ部分２’で二つ折りしたときに、ポケット３，４に収納した携帯必需品の外部への脱落を阻止することができ、全体的にシンプルに構成することができる。
多種収納ポシェット１は二つ折りしてその前後の部分を結合することなく単に重ねたままで使用できるが、二つ折りした表皮２の前後端部が容易に開かないように、表皮２の内面の前後端部または両側部には図１〜図３及び図７に示すように、互いに接着し合う面ファスナー６，６’を取付け、表皮２を二つ折りしたときにその前後の部分が離接自在に接着されて重なり合った状態を保つように構成する。
また、面ファスナー６，６’に代えて表皮１の前後端部の一方に連結ベルトを取付け、この連結ベルトの先端部並びにこのベルト先端部が当接する表皮２の前後端部の他方に、互いに結着し合うスナップボタンや接着し合うファスナーを取付け、表皮２を二つ折りしたときにこの連結ベルトでその前後の部分を離接自在に連結することにより、互いに重なり合った状態を保つように構成してもよい。
そして、大ポケット３および小ポケット４がそれらの開口部を中央の折り曲げ部分２’側に開口するように構成した場合には図３〜図６に示すように、中央の折り曲げ部分２’に肩掛け紐７もしくは手提げ紐７’を取付ける。
これらの紐は図４、図５に示すように、折り曲げ部分２’の外面に両端を固定（縫製）して取付けてもよいが、図３、図６に示すように折り曲げ部分２’に紐通し穴８を設けてこれに肩掛け用または手提げ用紐７，７’を通し、紐端部に結び目を作って紐通し穴８に係止させ、この発明の多種収納ポシェット１をハンドバッグなどに収納するときなど紐７，７’が不要の時にはこの結び目を解いて紐７、７’を取り除けるようにすることが望ましい。
一方、大ポケット３および小ポケット４を図７に示すようにそれらの開口部を中央の折り曲げ部分２’と反対側に開口するように形成することができ、この場合には表皮２を中央の折り曲げ部分２’で二つ折りしたときに、ポケット３，４に収納した携帯必需品をその開口部から容易に出し入れできるのでその意味では便利であるが、逆さにすると外部に脱落する恐れがあるため、表皮２の内面の前後端部に互いに接着し合う面ファスナー６，６’を取付けて閉鎖するか、あるいは図７に示すようにこの開口部上を覆って閉鎖する蓋板９（スナップボタンまたは面ファスナー付き）を設ける。
そしてこの場合には、肩掛け紐７もしくは手提げ紐７’は表皮２の前後端部に上記と同様に固定的または紐通し穴を通して着脱自在に取付ける。
なお、大ポケット３には図７に示すように、その両端に襠１０を設けて内部を大きく拡げられるように構成してもよい。
さらに、ポケット３，４を合成樹脂ネットや透明樹脂シートで形成することにより、内部に収納した携帯必需品を外部から見えるように構成してもよい。
この場合、各ポケット３，４をそれぞれ独立した袋状に形成し、その閉鎖底部をそれぞれ表皮２に接着または縫製することにより、各ポケットをアルバムの各枚葉のように見開き可能とし、各ポケットに収納した携帯必需品全体をそれぞれ外部から容易に見えるように構成してもよい（図示しない）。
表皮２の外面には図５に示すように、スライドファスナー付き又は無しの外部ポケット１１を取付けることができる。
さらに、表皮２の外面または内面には、必要に応じて使用者が利用する病院、薬局、銀行等の名称、住所、電話番号などの連絡先表示部を設ける（事前に印刷したものであってもよい）。
【発明の効果】
以上の通りこの発明によれば、表皮を平らに拡げた状態において各種の携帯必需品を区分けしてまとめて収納でき、また容易に探して取り出すことができ、動作が鈍く目も衰えている老人などが使用するのに便利である。
中央の折り曲げ部分に肩掛けまたは手提げ用の紐を取付けてなるので、軽量かつコンパクトなポシェットとして使用することができる。
特に、折り曲げ部分に紐通し穴を設けてこれに肩掛けまたは手提げ用の紐を通し、紐端部に結び目を作って紐通し穴に係止させることにより、紐が不要の時に容易に取り外すことができる。
さらに、表皮の内面の前後端部に互いに接着し合う面ファスナーを取付けることにより、表皮を二つ折りにしたときに容易に開かないように前後部を密着させることができ、かつ必要なときに簡単に開くことができる。
【図面の簡単な説明】
【図１】この発明の一実施例を示す展開平面図である。
【図２】この発明の他の実施例を示す展開平面図である。
【図３】この発明の他の実施例を示す展開平面図である。
【図４】この発明の他の実施例を示す斜視図である。
【図５】この発明の他の実施例を示す斜視図である。
【図６】この発明の他の実施例を示す斜視図である。
【図７】この発明の他の実施例を示す展開状態の斜視図である。
１　　多種収納ポシェット
２　　表皮
２’　折り曲げ部分
３　　大ポケット
４　　小ポケット
５　　スライドファスナー
６　　面ファスナー
６’　面ファスナー
７　　肩掛け紐
７’　手提げ紐
８　　紐通し穴
９　　蓋板
１０　　襠
１１　　外部ポケット
【図１】
2004073780.tif 000003
【図２】
2004073780.tif 000004
【図３】
2004073780.tif 000005
【図４】
2004073780.tif 000006
【図５】
2004073780.tif 000007
【図６】
2004073780.tif 000008
【図７】
2004073780.tif 000009